【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
文書の捕捉ディジタル画像内にある文書バウンダリを検知する方法であり、少なくとも部分的にデータ処理システムにより実行される方法であって、
ディジタルイメージングシステムを用い捕捉されており、背景上にハードコピー文書が写っており、複数個の色チャネルに関し画像データを有しているカラーディジタル画像を、受け取るステップと、
前記色チャネル毎にその画像データを解析することで対応する繁忙度指標、即ち同画像データの複雑度を示す指標を求めるステップと、
前記繁忙度指標を求めるステップが、前記画像データに関し圧縮率指標を求めるステップを含み、
最低の繁忙度を呈する色チャネルを選択するステップと、
前記選択された色チャネルに係る画像データを解析することで、写っているハードコピー文書の文書バウンダリを検知するステップと、
前記検知された文書バウンダリを示す情報をプロセッサアクセシブルメモリ内に格納するステップと、
を有する方法。
【請求項２】
請求項１記載の方法であって、更に、前記繁忙度指標を算出するのに先立ち各色チャネルに係る画像データをしきい値処理するステップを、有する方法。
【請求項３】
請求項２記載の方法であって、前記画像データをしきい値処理するステップが、
その画像データを解析することで適応的しきい値を決定するステップと、
その適応的しきい値を使用し画像データをしきい値処理するステップと、
を含む方法。
【請求項４】
請求項３記載の方法であって、その適応的しきい値が、前記画像データの統計的特性に基づき導出される方法。
【請求項５】
請求項２記載の方法であって、前記繁忙度指標を求めるステップが、前記しきい値処理済画像データ内を通る一組の経路に沿った遷移の個数を計数するステップを含む方法。
【請求項６】
請求項２記載の方法であって、前記繁忙度指標を求めるステップが、前記しきい値処理済画像データの連結成分解析を実行するステップを含む方法。
【請求項７】
文書の捕捉ディジタル画像内にある文書バウンダリを検知する方法であり、少なくとも部分的にデータ処理システムにより実行される方法であって、
ディジタルイメージングシステムを用い捕捉されており、背景上にハードコピー文書が写っており、複数個の色チャネルに関し画像データを有しているカラーディジタル画像を、受け取るステップと、
前記色チャネル毎にその画像データを解析することで対応する繁忙度指標、即ち同画像データの複雑度を示す指標を求めるステップと、
最低の繁忙度を呈する色チャネルを選択するステップと、
前記選択された色チャネルに係る画像データを解析することで、写っているハードコピー文書の文書バウンダリを検知するステップと、
前記検知された文書バウンダリを示す情報をプロセッサアクセシブルメモリ内に格納するステップと、
前記検知された文書バウンダリに基づき捕捉カラーディジタル画像にパースペクティブ補正プロセスを適用することで、前記写っている文書が略方形のバウンダリを呈するような補正済ディジタル画像を生成するステップと、
を有する方法。
【請求項８】
請求項１記載の方法であって、前記繁忙度指標を求めるステップが、その画像データに関し画像エントロピ指標を求めるステップを含む方法。
【請求項９】
請求項１記載の方法であって、前記繁忙度指標を求めるステップが、その画像データに関し周波数コンテンツ指標を求めるステップを含む方法。
【請求項１０】
請求項１記載の方法であって、前記文書バウンダリを検知するステップが、エッジ検出プロセスを実行することでその画像データ内のエッジを検出するステップを含む方法。
【請求項１１】
請求項１０記載の方法であって、更に、前記検出されたエッジに対応する多角形を１個又は複数個特定するステップを含む方法。
【請求項１２】
請求項１１記載の方法であって、前記検出されたエッジに対応する多角形を複数個特定し、１個又は複数個ある所定の選択条件に基づき多角形のうち１個を選択する方法。
【請求項１３】
請求項１１記載の方法であって、四辺形でない多角形を無視する選択条件がある方法。
【請求項１４】
請求項１１記載の方法であって、最小限度のサイズを有していない多角形を無視する選択条件がある方法。
【請求項１５】
請求項１記載の方法であって、前記色チャネルとして、色相属性を表す色チャネルと、彩度属性を表す色チャネルと、輝度属性を表す色チャネルと、を有する方法。
【請求項１６】
請求項１記載の方法であって、前記色チャネルとして、光度属性を表す色チャネルと、色差属性を表す２個の色チャネルと、を有する方法。
【請求項１７】
請求項１記載の方法であって、前記色チャネルとして、赤色チャネル、緑色チャネル及び青色チャネルを有する方法。
【請求項１８】
文書のディジタル画像を捕捉する文書イメージングシステムであって、
背景上にハードコピー文書があるカラーディジタル画像を捕捉し、複数個の色チャネルに関し画像データを有している捕捉カラーディジタル画像をもたらすように、構成された画像捕捉システムと、
データ処理システムと、
そのデータ処理システムに可通信接続されており、且つ同データ処理システムに前記捕捉カラーディジタル画像内パースペクティブ歪み補正方法を実行させるべく構成されている命令群が格納されているメモリシステムと、
を備える文書イメージングシステムにおいて、上記方法が、
その捕捉カラーディジタル画像を、複数個の解析色チャネルを有する解析色空間へと変換するステップと、
前記解析色チャネル毎にその画像データを解析することで対応する繁忙度指標、即ちその画像データの複雑度を示す指標を求めるステップと、
最低の繁忙度を呈する解析色チャネルを選択するステップと、
前記選択された解析色チャネルに係る前記画像データを解析することで、写っている文書の文書バウンダリを検知するステップと、
前記検知された文書バウンダリに基づき前記捕捉カラーディジタル画像にパースペクティブ補正プロセスを適用することで、写っている文書が略方形のバウンダリを呈するような補正済ディジタル画像を生成するステップと、
前記補正済ディジタル画像をプロセッサアクセシブルメモリ内に格納するステップと、
を有する文書イメージングシステム。
【請求項１９】
文書の捕捉ディジタル画像内にある文書バウンダリを検知する方法であり、少なくとも部分的にデータ処理システムにより実行される方法であって、
ディジタルイメージングシステムを用い捕捉されており、背景上にハードコピー文書が写っており、複数個の色チャネルに関し画像データを有しているカラーディジタル画像を、受け取るステップと、
前記色チャネル毎にその画像データを解析することで対応する繁忙度指標、即ち同画像データの複雑度を示す指標を求めるステップであって、前記繁忙度指標を求めるステップが、その画像データに関し画像エントロピ指標を求めるステップを含み、
最低の繁忙度を呈する色チャネルを選択するステップと、
前記選択された色チャネルに係る画像データを解析することで、写っているハードコピー文書の文書バウンダリを検知するステップと、
前記検知された文書バウンダリを示す情報をプロセッサアクセシブルメモリ内に格納するステップと、
を有する方法。
【請求項２０】
請求項７記載の方法であって、前記繁忙度指標を求めるステップが、前記画像データに関し圧縮率指標を求めるステップを含む方法。